(57)【要約】  仮想内視鏡画像の参照後の、内視鏡検査依頼における利便性を向上させる。  ワークステーション２０は、放射線画像サーバ５０から内視鏡検査対象患者の検査対象部位の複数枚分の断層画像データ（断層画像データファイル群）を取得する。ワークステーション２０は、取得した複数枚分の断層画像データに基づいて、３次元ボリュームデータを構築する。ワークステーション２０は、３次元ボリュームデータに基づいて、仮想内視鏡画像を生成し画面に表示する。ワークステーション２０は、仮想内視鏡画像の基となる断層画像データに付帯する付帯情報に基づいて内視鏡検査オーダ情報を生成する。ワークステーション２０は、当該内視鏡検査オーダ情報をＥＩＳ６０に送信（発行）する。
2010032496.tif 000002
【特許請求の範囲】
【請求項１】
内視鏡検査対象患者の検査対象部位の複数枚分の断層画像データを取得し、当該断層画像データに基づいて前記内視鏡検査対象患者の検査対象部位を立体的に示す仮想内視鏡画像を生成し、当該仮想内視鏡画像を表示手段に表示させる仮想内視鏡ビューワ装置と、内視鏡検査オーダを管理する内視鏡情報管理装置とが通信ネットワークを介して通信可能に接続された医用画像システムであって、
前記仮想内視鏡ビューワ装置は、前記断層画像データに付帯する付帯情報に基づいて内視鏡検査オーダ情報を生成し、当該内視鏡検査オーダ情報を前記内視鏡情報管理装置に送信する制御手段を備える医用画像システム。
【請求項２】
前記制御手段は、操作手段からの操作信号に基づいて前記仮想内視鏡画像に関する読影レポート情報を生成し、当該読影レポート情報に基づいて前記内視鏡検査オーダ情報を生成する、
請求項１に記載の医用画像システム。
【請求項３】
前記内視鏡検査オーダ情報は、検査理由を示す検査理由情報を含み、
前記制御手段は、前記読影レポート情報を前記検査理由情報として内視鏡検査オーダ情報を生成する、
請求項２に記載の医用画像システム。
【請求項４】
内視鏡検査対象患者の検査対象部位の複数枚分の断層画像データを取得し、当該断層画像データに基づいて前記内視鏡検査対象患者の検査対象部位を立体的に示す仮想内視鏡画像を生成し、当該仮想内視鏡画像を表示手段に表示させる仮想内視鏡ビューワ装置であって、
前記断層画像データに付帯する付帯情報に基づいて内視鏡検査オーダ情報を生成し、当該内視鏡検査オーダ情報を発行する制御手段を備える仮想内視鏡ビューワ装置。
【請求項５】
前記制御手段は、操作手段からの操作信号に基づいて前記仮想内視鏡画像に関する読影レポート情報を生成し、当該読影レポート情報に基づいて前記内視鏡検査オーダ情報を生成する、
請求項４に記載の仮想内視鏡ビューワ装置。
【請求項６】
前記内視鏡検査オーダ情報は、検査理由を示す検査理由情報を含み、
前記制御手段は、前記読影レポート情報を前記検査理由情報として内視鏡検査オーダ情報を生成する、
請求項５に記載の仮想内視鏡ビューワ装置。
【請求項７】
内視鏡検査対象患者の検査対象部位の複数枚分の断層画像データを取得し、当該断層画像データに基づいて前記内視鏡検査対象患者の検査対象部位を立体的に示す仮想内視鏡画像を生成し、当該仮想内視鏡画像を表示手段に表示させるコンピュータを、
前記断層画像データに付帯する付帯情報に基づいて内視鏡検査オーダ情報を生成し、当該内視鏡検査オーダ情報を発行する制御手段として機能させるためのプログラム。
【請求項８】
前記制御手段は、操作手段からの操作信号に基づいて前記仮想内視鏡画像に関する読影レポート情報を生成し、当該読影レポート情報に基づいて前記内視鏡検査オーダ情報を生成する、
請求項７に記載のプログラム。
【請求項９】
前記内視鏡検査オーダ情報は、検査理由を示す検査理由情報を含み、
前記制御手段は、前記読影レポート情報を前記検査理由情報として内視鏡検査オーダ情報を生成する、
請求項８に記載のプログラム。
【発明の詳細な説明】
【技術分野】
【０００１】
本発明は、医用画像システム、仮想内視鏡ビューワ装置及びプログラムに関する。
【背景技術】
【０００２】
多くの医療の現場において、情報のデジタル化が図られている。例えば、ＣＴ（Computed Tomography）装置、ＭＲＩ（Magnetic Resonance Imaging）装置等の放射線撮影装置は、患者の診断対象部位の撮影を行い、断層画像データを生成する。そして、放射線撮影装置は、ＤＩＣＯＭ（Digital Imaging and Communications in Medicine）規格に則り、断層画像データに付帯情報を付帯させる。【０００３】
ところで、医療の現場では、大腸癌の早期発見等の目的で内視鏡検査によるスクリーニングが行われている。スクリーニングは、患者にとって負担の大きい検査である。なぜなら、スクリーニングは、患者にとって一日がかりの検査となってしまうからである。また、内視鏡検査は、身体内への侵襲的な行為であり大腸穿孔等をきたす危険性があるからである。【０００４】
そこで、近年、内視鏡検査に先立ち、仮想内視鏡ビューワ装置を用いた読影や診断が行われている。仮想内視鏡ビューワ装置は、放射線撮影装置により生成された、内視鏡検査対象患者の検査対象部位の複数枚分の断層画像データに基づいて、３次元ボリュームデータを構築する。仮想内視鏡ビューワ装置は、この３次元ボリュームデータに基づいて、あたかも内視鏡装置で患者の身体を撮影して得られた内視鏡画像のように見える３次元ボリューム画像（仮想内視鏡画像）を生成して表示する。【０００５】
仮想内視鏡画像を表示するものとして、以下の技術が開示されている。即ち、画像処理装置（仮想内視鏡ビューワ装置）は、複数枚分の断層画像データに基づいて３次元ボリュームデータを構築する。そして、画像処理装置は、ボリュームレンダリング（Volume Rendering）の手法を用いて、３次元ボリュームデータから仮想内視鏡画像を生成する。画像処理装置は、生成した仮想内視鏡画像と、内視鏡装置で撮影された実際の内視鏡画像との同期を取って、並列して又は重ね合わせてこれらの画像を表示する（特許文献１参照）。
【特許文献１】特開２００６−６１２７４号公報
【発明の開示】
【発明が解決しようとする課題】
【０００６】
ところで、医師は、仮想内視鏡画像を参照後、必要があれば消化器内科等に内視鏡検査を依頼する。この場合、医師は、電子カルテシステムにおいて、手入力で内視鏡検査オーダを作成して当該オーダを消化器内科等に発行していた。【０００７】
この手入力の作業は、医師にとって手間であった。また、手入力の誤りによる内視鏡検査オーダの発行ミスが発生してしまう恐れがあった。【０００８】
本発明は、上述したような課題に鑑みて為されたものであり、その目的とするところは、仮想内視鏡画像の参照後の、内視鏡検査依頼における利便性を向上させることである。
【課題を解決するための手段】
【０００９】
上記の課題を解決するために、請求項１に記載の発明は、
内視鏡検査対象患者の検査対象部位の複数枚分の断層画像データを取得し、当該断層画像データに基づいて前記内視鏡検査対象患者の検査対象部位を立体的に示す仮想内視鏡画像を生成し、当該仮想内視鏡画像を表示手段に表示させる仮想内視鏡ビューワ装置と、内視鏡検査オーダを管理する内視鏡情報管理装置とが通信ネットワークを介して通信可能に接続された医用画像システムであって、
前記仮想内視鏡ビューワ装置は、前記断層画像データに付帯する付帯情報に基づいて内視鏡検査オーダ情報を生成し、当該内視鏡検査オーダ情報を前記内視鏡情報管理装置に送信する制御手段を備える。【００１０】
請求項２に記載の発明は、請求項１に記載の発明において、
前記制御手段は、操作手段からの操作信号に基づいて前記仮想内視鏡画像に関する読影レポート情報を生成し、当該読影レポート情報に基づいて前記内視鏡検査オーダ情報を生成する。【００１１】
請求項３に記載の発明は、請求項２に記載の発明において、
前記内視鏡検査オーダ情報は、検査理由を示す検査理由情報を含み、
前記制御手段は、前記読影レポート情報を前記検査理由情報として内視鏡検査オーダ情報を生成する。【００１２】
請求項４に記載の発明は、
内視鏡検査対象患者の検査対象部位の複数枚分の断層画像データを取得し、当該断層画像データに基づいて前記内視鏡検査対象患者の検査対象部位を立体的に示す仮想内視鏡画像を生成し、当該仮想内視鏡画像を表示手段に表示させる仮想内視鏡ビューワ装置であって、
前記断層画像データに付帯する付帯情報に基づいて内視鏡検査オーダ情報を生成し、当該内視鏡検査オーダ情報を発行する制御手段を備える。【００１３】
請求項５に記載の発明は、請求項４に記載の発明において、
前記制御手段は、操作手段からの操作信号に基づいて前記仮想内視鏡画像に関する読影レポート情報を生成し、当該読影レポート情報に基づいて前記内視鏡検査オーダ情報を生成する。【００１４】
請求項６に記載の発明は、請求項５に記載の発明において、
前記内視鏡検査オーダ情報は、検査理由を示す検査理由情報を含み、
前記制御手段は、前記読影レポート情報を前記検査理由情報として内視鏡検査オーダ情報を生成する。【００１５】
請求項７に記載のプログラムは、
内視鏡検査対象患者の検査対象部位の複数枚分の断層画像データを取得し、当該断層画像データに基づいて前記内視鏡検査対象患者の検査対象部位を立体的に示す仮想内視鏡画像を生成し、当該仮想内視鏡画像を表示手段に表示させるコンピュータを、
前記断層画像データに付帯する付帯情報に基づいて内視鏡検査オーダ情報を生成し、当該内視鏡検査オーダ情報を発行する制御手段として機能させる。【００１６】
請求項８に記載の発明は、請求項７に記載の発明において、
前記制御手段は、操作手段からの操作信号に基づいて前記仮想内視鏡画像に関する読影レポート情報を生成し、当該読影レポート情報に基づいて前記内視鏡検査オーダ情報を生成する。【００１７】
請求項９に記載の発明は、請求項８に記載の発明において、
前記内視鏡検査オーダ情報は、検査理由を示す検査理由情報を含み、
前記制御手段は、前記読影レポート情報を前記検査理由情報として内視鏡検査オーダ情報を生成する。
【発明の効果】
【００１８】
請求項１、４、７に記載の発明によれば、仮想内視鏡ビューワ装置は、仮想内視鏡画像の基となる断層画像データに付帯する付帯情報に基づいて内視鏡検査オーダ情報を生成する。仮想内視鏡ビューワ装置は、生成した内視鏡検査オーダ情報を発行する。【００１９】
そのため、ユーザは、内視鏡検査オーダ情報を発行させる際に、付帯情報に含まれる患者名や性別等の情報を入力する手間を省くことができる。よって、仮想内視鏡画像の参照後の、内視鏡検査依頼における利便性を向上させることができる。【００２０】
請求項２、５、８に記載の発明によれば、仮想内視鏡ビューワ装置は、仮想内視鏡画像に関する読影レポート情報を生成し、当該読影レポート情報に基づいて内視鏡検査オーダ情報を生成する。【００２１】
そのため、内視鏡検査を行う医師は、仮想内視鏡画像の読影レポートを参照することができる。【００２２】
請求項３、６、９に記載の発明によれば、仮想内視鏡ビューワ装置は、読影レポート情報を検査理由情報として内視鏡検査オーダ情報を生成する。【００２３】
そのため、内視鏡検査を行う医師は、内視鏡検査オーダ情報に含まれる検査理由情報を参照することにより、仮想内視鏡画像の読影結果を知ることができる。
【図面の簡単な説明】
【００２４】
【図１】本発明における医用画像システムのシステム構成図である。
【図２】断層画像データファイルのデータ構成図である。
【図３】放射線画像サーバのブロック図である。
【図４】ワークステーションのブロック図である。
【図５】内視鏡検査オーダ情報のデータ構成図である。
【図６】医用画像システムにおいて実行される処理を示すラダーチャートである。
【図７】仮想内視鏡画面の画面例である。
【発明を実施するための最良の形態】
【００２５】
以下、図面を参照して本発明の一実施形態について説明する。【００２６】
[医用画像システムのシステム構成]
図１に、医用画像システム１のシステム構成を示す。医用画像は、断層画像、内視鏡画像を含む。【００２７】
図１に示すように、医用画像システム１は、診療科医用画像システム１００と、放射線科医用画像システム２００と、消化器内科医用画像システム３００と、から構成されている。上記の各システムは通信ネットワークＮを介してデータ通信可能に接続されている。【００２８】
診療科医用画像システム１００は、電子カルテシステム１０と、ワークステーション２０と、図示しないその他の装置とから構成されている。上記の各装置やシステムは通信ネットワークＮを介してデータ通信可能に接続されている。【００２９】
電子カルテシステム１０は、診療録データを生成する電子カルテ機能を有し、患者の病状や診断結果等を保存する。電子カルテシステム１０は、ユーザの操作による操作信号等に基づいて、診療録データを生成する。【００３０】
また、電子カルテシステム１０は、ユーザの操作による操作信号等に基づいて、患者の検査（撮影等）を依頼するための検査オーダの情報（放射線検査オーダ情報や内視鏡検査オーダ情報）を生成する。放射線科に断層画像の撮影を依頼する場合、電子カルテシステム１０は、放射線検査オーダ情報を生成し、当該放射線検査オーダ情報をＲＩＳ３０に送信する。また、消化器内科に内視鏡画像の撮影を依頼する場合、電子カルテシステム１０は、内視鏡検査オーダ情報を生成し、当該内視鏡検査オーダ情報をＥＩＳ（Endoscopy Information System）６０に送信する。【００３１】
ワークステーション２０は、高詳細モニタを有し、当該高詳細モニタに医用画像を表示する端末である。ワークステーション２０は、ユーザの操作による操作信号等に基づき、放射線画像サーバ５０に断層画像データ取得要求を送信し、当該取得要求に応じた断層画像データのファイル(断層画像データファイル)を取得する。断層画像データファイルには１枚分の断層画像データが格納されている。そして、ワークステーション２０は、当該断層画像データに基づきモニタに断層画像を表示する。【００３２】
ワークステーション２０は、ユーザの操作による操作信号等に基づき、内視鏡画像サーバ８０に内視鏡画像データ取得要求を送信し、当該取得要求に応じた内視鏡画像データのファイル（内視鏡画像データファイル）を取得する。そして、ワークステーション２０は、当該内視鏡画像データに基づきモニタに内視鏡画像を表示する。【００３３】
また、ワークステーション２０は、ユーザの操作による操作信号に基づき、モニタに表示された医用画像の読影結果である読影レポートのデータを生成する。【００３４】
また、ワークステーション２０は、仮想内視鏡ビューワ機能を有する。また、ワークステーション２０は、内視鏡検査オーダ情報を生成し、当該内視鏡検査オーダ情報をＥＩＳ６０に送信（発行）する。【００３５】
放射線科医用画像システム２００は、ＲＩＳ３０と、モダリティ４０と、放射線画像サーバ５０と、図示しないその他の装置とから構成されている。上記の各装置やシステムは通信ネットワークＮを介してデータ通信可能に接続されている。【００３６】
ＲＩＳ３０は、放射線科における診療予約、診断結果のレポート、実績管理、材料在庫管理等の情報管理を行う。ＲＩＳ３０は、電子カルテシステム１０から受信した放射線検査オーダ情報をモダリティ４０及び放射線画像サーバ５０に送信する。【００３７】
モダリティ４０は、ＲＩＳ３０から受信した放射線検査オーダ情報に従って、患者の診断対象部位の撮影を行い、断層画像データを生成する放射線撮影装置である。また、モダリティ４０は、前記放射線検査オーダ情報に基づいて断層画像データに関する付帯情報を生成する。そして、モダリティ４０は、ＤＩＣＯＭ規格に則り、断層画像データに付帯情報を付帯させ、断層画像データファイルとして放射線画像サーバ５０に送信する。モダリティ４０としては、ＣＴ装置、ＭＲＩ装置の断層画像を撮影する放射線撮影装置が適用可能である。【００３８】
図２に、断層画像データファイルのデータ構成を示す。図２に示すように、断層画像データファイルには、断層画像データと、その断層画像データに付帯する付帯情報とが格納されている。【００３９】
付帯情報は、患者ＩＤ、患者名、性別、生年月日等の患者に関する情報、検査を識別する検査インスタンスＵＩＤ、検査日、検査時刻、受付番号、読影医、検査部位等の検査に関する情報を含む。【００４０】
図１に戻り、放射線画像サーバ５０は、モダリティ４０において生成された断層画像データファイルを記憶し、管理する（記憶管理する）。放射線画像サーバ５０としてＰＡＣＳ（Picture Archiving and Communication System）等が適用可能である。【００４１】
放射線画像サーバ５０は、外部機器から断層画像データ取得要求を受信した場合、当該取得要求に応じた断層画像データファイルを当該外部機器に送信（提供）する。【００４２】
消化器内科医用画像システム３００は、ＥＩＳ６０と、内視鏡装置７０と、内視鏡画像サーバ８０と、図示しないその他の装置とから構成されている。上記の各装置やシステムは通信ネットワークＮを介してデータ通信可能に接続されている。【００４３】
ＥＩＳ６０は、消化器内科における診療予約、診断結果のレポート、実績管理、材料在庫管理、内視鏡検査オーダ等の情報管理を行う内視鏡情報管理装置である。ＥＩＳ６０は、電子カルテシステム１０やワークステーション２０から受信した内視鏡検査オーダ情報を内視鏡装置７０及び内視鏡画像サーバ８０に送信する。【００４４】
内視鏡装置７０は、ＥＩＳ６０から受信した内視鏡検査オーダ情報に従って、患者の診断対象部位の撮影を行い、内視鏡画像データを生成する撮影装置（モダリティ）である。また、内視鏡装置７０は、前記内視鏡検査オーダ情報に基づいて、前記内視鏡画像データに関する付帯情報を生成する。そして、内視鏡装置７０は、ＤＩＣＯＭ規格に則り、前記内視鏡画像データに当該付帯情報を付帯させ、内視鏡画像データファイルとして内視鏡画像サーバ８０に送信する。【００４５】
内視鏡画像サーバ８０は、内視鏡装置７０において生成された内視鏡画像データファイルを記憶し、管理する（記憶管理する）。内視鏡画像サーバ８０としてＰＡＣＳ等が適用可能である。【００４６】
内視鏡画像サーバ８０は、外部機器から内視鏡画像データ取得要求を受信した場合、当該取得要求に応じた内視鏡画像データファイルを当該外部機器に送信（提供）する。【００４７】
[放射線画像サーバの機能的構成]
図３に、放射線科医用画像システム２００を構成する放射線画像サーバ５０の機能的構成を示す。【００４８】
図３に示すように、放射線画像サーバ５０は、制御部５１、操作部５２、表示部５３、通信部５４、記憶部５５を備えて構成され、各部はバス５６により接続されている。【００４９】
制御部５１は、ＣＰＵ（Central Processing Unit）、ＲＡＭ（Random Access Memory）等から構成され、放射線画像サーバ５０の各部の処理動作を統括的に制御する。具体的には、ＣＰＵは、操作部５２から入力される操作信号又は通信部５４により受信される指示信号に応じて、記憶部５５に記憶されている各種処理プログラムを読み出し、ＲＡＭ内に形成されたワークエリアに展開し、当該プログラムとの協働により各種処理を行う。【００５０】
操作部５２は、カーソルキー、数字入力キー、及び各種機能キー等を備えたキーボードと、マウス等のポインティングデバイスを備えて構成され、キーボードに対するキー操作やマウス操作により入力された操作信号を制御部５１に出力する。【００５１】
表示部５３は、ＬＣＤ（Liquid Crystal Display）により構成され、制御部５１から入力される表示データに基づいて各種画面を表示する。【００５２】
通信部５４は、ＬＡＮ（Local Area Network）アダプタ、ルータ、ＴＡ（Terminal Adapter）等を備え、通信ネットワークＮを介して接続されたワークステーション２０、ＲＩＳ３０、モダリティ４０等の外部機器との間でデータの送受信を行う。【００５３】
記憶部５５は、ハードディスク等から構成され、制御プログラム、当該プログラムの実行に必要なパラメータやファイル等を記憶している。また、記憶部５５は、一又は複数の断層画像データファイルを記憶する。また、記憶部５５は、断層画像データファイルを管理するデータベースプログラムを記憶する（図示せず）。【００５４】
制御部５１は、記憶部５５に記憶されたデータベースプログラムと協働して、記憶部５５に記憶されている断層画像データファイルを管理する。【００５５】
制御部５１は、通信部５４を介して、外部機器から断層画像データファイルを受信すると、当該断層画像データファイルを記憶部５５に記憶させ、データベースに登録する（管理する）。【００５６】
制御部５１は、通信部５４を介して、外部機器から断層画像データ取得要求を受信すると、当該断層画像データ取得要求に応じた断層画像データファイルを記憶部５５から読み出す。そして、制御部５１は、通信部５４を介して、当該読み出した断層画像データファイルを外部機器に送信（提供）する。【００５７】
[ワークステーションの機能的構成]
図４に、診療科医用画像システム１００を構成するワークステーション２０の機能的構成を示す。【００５８】
図４に示すように、ワークステーション２０は、制御部２１、操作部２２、表示部２３、通信部２４、記憶部２５を備えて構成され、各部はバス２６により接続されている。【００５９】
制御部２１は、ＣＰＵ、ＲＡＭ等から構成され、ワークステーション２０の各部の処理動作を統括的に制御する。具体的には、ＣＰＵは、操作部２２から入力される操作信号又は通信部２４により受信される指示信号に応じて、記憶部２５に記憶されている各種処理プログラムを読み出し、ＲＡＭ内に形成されたワークエリアに展開し、当該プログラムとの協働により各種処理を行う。【００６０】
操作部２２は、カーソルキー、数字入力キー、及び各種機能キー等を備えたキーボードと、マウス等のポインティングデバイスを備えて構成され、キーボードに対するキー操作やマウス操作により入力された操作信号を制御部２１に出力する。【００６１】
表示部２３は、ＬＣＤにより構成され、制御部２１から入力される表示データに基づいて各種画面を表示する高詳細モニタである。【００６２】
通信部２４は、ＬＡＮアダプタ、ルータ、ＴＡ等を備え、通信ネットワークＮを介して接続された放射線画像サーバ５０、ＥＩＳ６０、内視鏡画像サーバ８０等の外部機器との間でデータの送受信を行う。【００６３】
記憶部２５は、ハードディスク等から構成され、制御プログラム、当該プログラムの実行に必要なパラメータやファイル等を記憶している。また、記憶部２５は、仮想内視鏡ビューワプログラム２５１を記憶している。【００６４】
制御部２１は、操作部２２からの操作信号に基づいて、放射線画像サーバ５０に断層画像データ取得要求を通信部２４を介して送信し、当該取得要求に応じた断層画像データファイルを受信（取得）する。また、制御部２１は、操作部２２からの操作信号に基づいて、内視鏡画像サーバ８０に内視鏡画像データ取得要求を通信部２４を介して送信し、当該取得要求に応じた内視鏡画像データファイルを受信（取得）する。【００６５】
制御部２１は、仮想内視鏡ビューワプログラム２５１と協働して、放射線画像サーバ５０から取得した複数の断層画像データファイル（断層画像データファイル群）から複数枚分の連続した断層画像データを読み出す。制御部２１は、ボクセル表現の手法を用い、複数枚分の連続した断層画像データに基づいて、患者の身体に相当する画像データを小さい立方体（ボクセルデータ）の集合で表す。制御部２１は、各ボクセルデータと当該ボクセルデータの放射線吸収量のデータとに基づいて、患者の身体に相当する３次元ボリュームデータを構築する。そして、制御部２１は、ボリュームレンダリング等の手法を用いて、３次元ボリュームデータに基づいて仮想内視鏡画像を生成し、当該仮想内視鏡画像を表示部２３に表示させる。つまり、制御部２１は、仮想内視鏡ビューワプログラム２５１と協働して、仮想内視鏡ビューワ機能を実現する。【００６６】
制御部２１は、仮想内視鏡ビューワプログラム２５１と協働して、操作部２２からの操作信号に基づいて、表示部２３に表示された仮想内視鏡画像に対する読影レポートの情報（読影レポート情報）を生成する。そして、制御部２１は、仮想内視鏡ビューワプログラム２５１と協働して、当該仮想内視鏡画像の基となった断層画像データに含まれる付帯情報と、前記読影レポート情報と、操作部２２からの操作信号とに基づいて、内視鏡検査オーダ情報を生成する。そして、制御部２１は、生成した内視鏡検査オーダ情報をＥＩＳ６０に送信（発行）する。【００６７】
図５に、内視鏡検査オーダ情報のデータ構成を示す。図５に示すように内視鏡検査オーダ情報は、項目「患者ＩＤ」「患者名」「性別」「生年月日」「依頼医」「検査部位」「検査種」「目的」「モダリティ」「検査日時」「検査理由」から構成される。【００６８】
制御部２１は、内視鏡検査オーダ情報の項目「患者ＩＤ」「患者名」「性別」「生年月日」「検査部位」の項目情報を、仮想内視鏡画像の基となった断層画像データに含まれる付帯情報の「患者ＩＤ」「患者名」「性別」「生年月日」「検査部位」と同じ項目情報として内視鏡検査オーダ情報を生成する。「検査部位」の項目情報としては、「食道」「胃」「十二指腸」「食道・胃・十二指腸」「胆管」「大腸」等がある。【００６９】
また、制御部２１は、内視鏡検査オーダ情報の項目「依頼医」の項目情報を、前記断層画像データに含まれる付帯情報の「読影医」と同じ項目情報とする。【００７０】
また、制御部２１は、内視鏡検査オーダ情報の項目「検査種」の項目情報を、前記断層画像データに含まれる付帯情報の「検査部位」に基づいて設定する。記憶部２５は、検査部位と検査種の対応テーブル（図示せず）を記憶している。制御部２１は、当該対応テーブルと前記断層画像データに含まれる付帯情報の「検査部位」の項目情報とに基づいて、内視鏡検査オーダ情報の項目「検査種」の項目情報を設定する。「検査種」の項目情報としては、「上部消化管」「下部消化管」「ＥＲＣＰ（Endoscopic Retrograde Cholangio-pancreatography）」等がある。【００７１】
また、制御部２１は、内視鏡検査オーダ情報の項目「目的」「モダリティ」「検査日時」の項目情報を、操作部５２からの操作信号に基づいて設定する。「目的」の項目情報としては、「治療」「検査」等がある。「モダリティ」の項目情報としては、「上部通常内視鏡」「下部通常内視鏡」「超音波内視鏡」「カプセル内視鏡」「十二指腸内視鏡」「小腸内視鏡」「高解像度内視鏡」等がある。【００７２】
また、制御部２１は、内視鏡検査オーダ情報の項目「検査理由」の項目情報を、生成した読影レポート情報に含まれる文字情報（読影レポートの文字列）とする。「検査理由」の項目情報は、「胃底部より下方５ｃｍに病変の疑いあり。十二指腸への転移状態の確認とサンプル採取し病理検査を行う必要あり。」のような文字列となる。【００７３】
図４に戻り、制御部２１は、仮想内視鏡ビューワプログラム２５１と協働して、仮想内視鏡画像を表示し、読影レポート情報、内視鏡検査オーダ情報を生成するための画面である仮想内視鏡画面２３１（図７参照）を表示部２３に表示させる。【００７４】
[医用画像システムにおける各装置の具体的な動作]
次に、医用画像システム１において実行される各装置の具体的な動作について図６を用いて説明する。【００７５】
まず、仮想内視鏡画像の読影を行うために、読影医は、電子カルテシステム１０において入力操作を行う。この入力操作により、電子カルテシステム１０は、放射線検査オーダ情報を生成し、当該放射線検査オーダ情報をＲＩＳ３０に送信する。ＲＩＳ３０は、当該放射線検査オーダ情報をモダリティ４０と放射線画像サーバ５０に送信する。モダリティ４０は、ＲＩＳ３０から受信した放射線検査オーダ情報に基づいて撮影を行い、断層画像データファイル群を生成する。モダリティ４０は、当該断層画像データファイル群を放射線画像サーバ５０に送信する。放射線画像サーバ５０は、断層画像データファイル群を記憶管理する。【００７６】
次に、読影医は、ワークステーション２０の操作部２２に対して、入力操作を行う。この入力操作により、ワークステーション２０の制御部２１は、操作部２２からの操作信号に基づいて、放射線画像サーバ５０に断層画像データ取得要求を通信部２４を介して送信する（ステップＳ１）。この断層画像データ取得要求は、内視鏡検査対象患者の検査対象部位の複数枚分の断層画像データを取得する旨の要求である。【００７７】
放射線画像サーバ５０の制御部５１は、通信部５４を介して、ワークステーション２０から断層画像データ取得要求を受信すると、当該断層画像データ取得要求に応じた断層画像データファイル群を記憶部５５から読み出す。制御部５１は、通信部５４を介して、当該読み出した断層画像データファイル群をワークステーション２０に送信する（ステップＳ２）。【００７８】
ワークステーション２０の制御部２１は、仮想内視鏡ビューワプログラム２５１と協働して、放射線画像サーバ５０から受信（取得）した断層画像データファイル群に基づいて、３次元ボリュームデータを構築する（ステップＳ３）。制御部２１は、３次元ボリュームデータに基づいて仮想内視鏡画像を生成し、表示部２３に表示する（ステップＳ４）。この仮想内視鏡画像は、内視鏡検査対象患者の検査対象部位を立体的に示す画像である。制御部２１は、仮想内視鏡画面２３１を表示部２３に表示する。【００７９】
図７に、仮想内視鏡画面２３１の画面例を示す。図７に示すように、仮想内視鏡画面２３１は、レポート保存ボタンｂ１、オーダ送信ボタンｂ２、仮想内視鏡画像表示領域ｅ１、付帯情報表示領域ｅ２、オーダ設定領域ｅ３、読影レポート作成領域ｅ４等から構成される。【００８０】
仮想内視鏡画像表示領域ｅ１は、仮想内視鏡画像を表示する領域である。この仮想内視鏡画像は、放射線画像サーバ５０から取得した断層画像データファイル群に基づいた画像である。【００８１】
付帯情報表示領域ｅ２は、放射線画像サーバ５０から取得した断層画像データファイル群の付帯情報を表示する領域である。具体的に、「患者ＩＤ」「患者名」「性別」「生年月日」「読影医」「検査部位」等の項目が表示される。【００８２】
読影レポート作成領域ｅ４は、仮想内視鏡画像表示領域ｅ１に表示されている仮想内視鏡画像に対する読影レポートを作成するための領域である。ユーザは、この読影レポート作成領域ｅ４に文字列を入力し、読影レポートを作成する。【００８３】
レポート保存ボタンｂ１は、読影レポート情報を保存するためのボタンである。ユーザが、レポート保存ボタンｂ１を押下すると、制御部２１は、読影レポート作成領域ｅ４において作成された読影レポートの文字情報に基づいて読影レポート情報を生成し、当該読影レポート情報を記憶部２５に保存する。又は、制御部２１は、当該読影レポート情報を通信部２４を介して、図示しないレポート管理サーバに送信する。【００８４】
オーダ設定領域ｅ３は、内視鏡検査オーダ情報の項目の項目情報を設定するための領域である。ユーザは、複数の候補となる項目情報に対応するラジオボタンを選択することにより、内視鏡検査オーダ情報の項目（「目的」と「モダリティ」）の項目情報を設定する。また、ユーザは、日時情報を入力することにより、項目「検査日時」の項目情報を設定する。【００８５】
オーダ送信ボタンｂ２は、内視鏡検査オーダ情報を生成し、当該内視鏡検査オーダ情報をＥＩＳ６０に送信（発行）するためのボタンである。ユーザが、オーダ送信ボタンｂ２を押下すると、制御部２１は、オーダ設定領域ｅ３で設定された項目情報を内視鏡検査オーダ情報の項目情報として反映した内視鏡検査オーダ情報を生成する。具体的に、「目的」「モダリティ」「検査日時」の項目の項目情報を設定する。そして、制御部２１は、生成した内視鏡検査オーダ情報を通信部２４を介してＥＩＳ６０に送信（発行）する。【００８６】
図６に戻り、ユーザは、仮想内視鏡画面２３１の読影レポート作成領域ｅ４に文字列を入力し、レポート保存ボタンｂ１を押下する。制御部２１は、仮想内視鏡ビューワプログラム２５１と協働して、操作部２２からの操作信号に基づいて、表示部２３に表示された仮想内視鏡画像に対する（関する）読影レポート情報を生成する（ステップＳ５）。【００８７】
そして、ユーザは仮想内視鏡画面２３１のオーダ設定領域ｅ３にあるラジオボタンを選択し、日時情報を入力してオーダ送信ボタンｂ２を押下する。制御部２１は、仮想内視鏡画像の基となった断層画像データファイル群に格納されている付帯情報と、前記読影レポート情報と、操作部２２からの操作信号とに基づいて、オーダ設定領域ｅ３で設定された項目情報を内視鏡検査オーダ情報の項目情報として反映した内視鏡オーダ情報を生成する（ステップＳ６）。【００８８】
制御部２１は、生成した内視鏡検査オーダ情報を通信部２４を介してＥＩＳ６０に送信（発行）する（ステップＳ７）。【００８９】
ＥＩＳ６０は、ワークステーション２０から内視鏡検査オーダ情報を受信すると、当該内視鏡検査オーダ情報を登録する（ステップＳ８）。【００９０】
ＥＩＳ６０は、この内視鏡検査オーダ情報を内視鏡装置７０及び内視鏡画像サーバ８０に送信する。内視鏡装置７０は、ＥＩＳ６０から受信した内視鏡検査オーダ情報に従って、患者を撮影する。【００９１】
以上、本実施の形態によれば、ワークステーション２０は、放射線画像サーバ５０から内視鏡検査対象患者の検査対象部位の複数枚分の断層画像データ（断層画像データファイル群）を取得する。ワークステーション２０は、取得した複数枚分の断層画像データに基づいて、３次元ボリュームデータを構築する。ワークステーション２０は、３次元ボリュームデータに基づいて、仮想内視鏡画像を生成し表示部２３に表示する。ワークステーション２０は、仮想内視鏡画像の基となる断層画像データに付帯する付帯情報に基づいて内視鏡検査オーダ情報を生成する。ワークステーション２０は、生成した内視鏡検査オーダ情報をＥＩＳ６０に送信（発行）する。【００９２】
そのため、読影医等のユーザは、内視鏡検査オーダ情報を発行させる際に、付帯情報に含まれる患者名や性別等の情報を入力する手間を省くことができる。よって、仮想内視鏡画像の参照後の、内視鏡検査依頼における利便性を向上させることができる。【００９３】
また、ワークステーション２０は、仮想内視鏡画像に関する読影レポートを生成する。ワークステーション２０は、生成した読影レポート情報に基づいて内視鏡検査オーダ情報を生成する。具体的に、ワークステーション２０は、読影レポート情報を検査理由情報として内視鏡検査オーダ情報を生成する。【００９４】
そのため、内視鏡検査を行う医師は、内視鏡検査オーダ情報に含まれる検査理由情報を参照することにより、仮想内視鏡画像の読影結果を知ることができる。【００９５】
尚、本実施の形態における記述は、本発明に係る医用画像システムの一例であり、これに限定されるものではない。システムを構成する各装置の細部構成及び細部動作に関しても適宜変更可能である。【００９６】
また、本実施の形態では、プログラムを格納したコンピュータ読み取り可能な媒体としてハードディスクを使用した例を開示したが、この例に限定されない。その他のコンピュータ読み取り可能な媒体として、フラッシュメモリ等の不揮発性メモリ等を適用することが可能である。また、プログラムのデータを通信回線を介して提供する媒体として、キャリアウェーブ（搬送波）も適用可能である。
【産業上の利用可能性】
【００９７】
医療分野において利用することが可能であり、内視鏡検査対象患者の検査対象部位の複数枚分の断層画像データを取得し、当該断層画像データに基づいて前記内視鏡検査対象患者の検査対象部位を立体的に示す仮想内視鏡画像を生成し、当該仮想内視鏡画像を表示手段に表示させる仮想内視鏡ビューワ装置と、内視鏡検査オーダを管理する内視鏡情報管理装置とが通信ネットワークを介して通信可能に接続された医用画像システム等に適用することができる。
【符号の説明】
【００９８】
１        医用画像システム
１０      電子カルテシステム
２０      ワークステーション
２１      制御部
２２      操作部
２３      表示部
２４      通信部
２５      記憶部
２６      バス
３０      ＲＩＳ
４０      モダリティ
５０      放射線画像サーバ
５１      制御部
５２      操作部
５３      表示部
５４      通信部
５５      記憶部
５６      バス
６０      ＥＩＳ
７０      内視鏡装置
８０      内視鏡画像サーバ
１００    診療科医用画像システム
２００    放射線科医用画像システム
２３１    仮想内視鏡画面
２５１    仮想内視鏡ビューワプログラム
３００    消化器内科医用画像システム
ｂ１      レポート保存ボタン
ｂ２      オーダ送信ボタン
ｅ１      仮想内視鏡画像表示領域
ｅ２      付帯情報表示領域
ｅ３      オーダ設定領域
ｅ４      読影レポート作成領域
Ｎ        通信ネットワーク
【図１】
2010032496.tif 000003
【図２】
2010032496.tif 000004
【図３】
2010032496.tif 000005
【図４】
2010032496.tif 000006
【図５】
2010032496.tif 000007
【図６】
2010032496.tif 000008
【図７】
2010032496.tif 000009
【国際調査報告】
2010032496.tif 000010
2010032496.tif 000011
2010032496.tif 000012